【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
コンポーネント・キャリア・アグリゲーションを使用するモバイル通信システム内で下りリンク・コンポーネント・キャリアを（非）アクティブ化する方法であって、モバイル端末によって実行される以下のステップ、すなわち、
下りリンク・コンポーネント・キャリア上で、前記モバイル端末に上りリンク・リソースまたは下りリンク・リソースを割り当てるリソース割当を受信するステップであり、前記リソース割当は、複数の構成された下りリンク・コンポーネント・キャリアのどれがそれぞれアクティブ化されまたは非アクティブ化されるのかを示す、ステップと、
前記リソース割当内に含まれる表示に従って前記構成された下りリンク・コンポーネント・キャリアをアクティブ化しまたは非アクティブ化するステップと
を含む方法。
【請求項２】
前記リソース割当によって新たにアクティブ化された下りリンク・コンポーネント・キャリアごとにチャネル品質測定を実行するステップと、
前記アクティブ化された下りリンク・コンポーネント・キャリアの前記チャネル品質測定を前記リソース割当によって割り当てられた上りリンク・リソース上で送信するステップと
をさらに含む、請求項１に記載の方法。
【請求項３】
前記リソース割当によって割り当てられた上りリンク・リソース上で上りリンク・スケジューリングに関するスケジューリング関連情報を送信するステップをさらに含む、請求項１または２に記載の方法。
【請求項４】
前記割り当てられた上りリンク・リソース上での上りリンク送信は、前記上りリンク・リソース割当の受信または前記下りリンク・コンポーネント・キャリアの成功の（非）アクティブ化を肯定応答する、請求項２または３に記載の方法。
【請求項５】
コンポーネント・キャリア・アグリゲーションを使用するモバイル通信システム内で下りリンク・コンポーネント・キャリアを（非）アクティブ化する方法であって、基地局によって実行されるステップ、すなわち、
モバイル端末に上りリンク・リソースを割り当てるために上りリンク・リソース割当をアクティブの構成された下りリンク・コンポーネント・キャリア上でモバイル端末に送信するステップであり、前記上りリンク・リソース割当は、複数の構成された下りリンク・コンポーネント・キャリアのどれがそれぞれアクティブ化されまたは非アクティブ化されるのかを示すビットマスクを含んでいる、ステップと、
前記上りリンク・リソース割当の成功の受信または前記下りリンク・コンポーネント・キャリアの成功の（非）アクティブ化の肯定応答を前記割り当てられた上りリンク・リソース上で受信するステップであり、前記肯定応答は、新たにアクティブ化された下りリンク・コンポーネント・キャリアのチャネル品質測定値の形で受信される、ステップと
を含む方法。
【請求項６】
複数の構成された下りリンク・コンポーネント・キャリアのどれがそれぞれアクティブ化されまたは非アクティブ化されるのかの前記表示は、ビットマスクによって提供される、請求項１から５のいずれか一項に記載の方法。
【請求項７】
前記リソース割当のサイズは、前記モバイル通信システム内で定義される少なくとも１つのさらなるＤＣＩフォーマットのサイズと等しい、請求項１から６のいずれか一項に記載の方法。
【請求項８】
前記リソース割当は、下りリンク・コンポーネント・キャリアの前記アクティブ化および非アクティブ化のために前記モバイル端末に割り当てられた無線ネットワーク一時識別子（ＲＮＴＩ）を用いてマスクされたＣＲＣフィールドを含む、請求項１から７のいずれか一項に記載の方法。
【請求項９】
前記リソース割当は、上りリンク・リソース割当であり、３ＧＰＰ  ＬＴＥ  ＤＣＩフォーマット０を再利用しており、３ＧＰＰ  ＬＴＥ  ＤＣＩフォーマット０の新データ・インジケータ（ＮＤＩ）のビット、ＴＰＣコマンド・フィールド、およびＣＱＩ要求フラグは、ビットマスクを示すために再利用される、請求項１から８のいずれか一項に記載の方法。
【請求項１０】
前記上りリンク・リソース割当は、３ＧＰＰ  ＬＴＥ  ＤＣＩフォーマット０を再利用しており、３ＧＰＰ  ＬＴＥ  ＤＣＩフォーマット０の新データ・インジケータ（ＮＤＩ）のビット、ＴＰＣコマンド・フィールド、ＣＱＩ要求フラグ、ならびに変調および符号化方式フィールドの１ビットは、ビットマスクと、前記モバイル端末が新たにアクティブ化された下りリンク・コンポーネント・キャリアのチャネル品質測定値を送信するのかどうかの表示とを示すために再利用される、請求項１から８のいずれか一項に記載の方法。
【請求項１１】
前記上りリンク・リソース割当は、ＦＤＤ動作の下りリンク制御情報（ＤＣＩ）であり、
−同一のビット数／サイズを有するように定義されるＤＣＩフォーマットを区別するフォーマット・フラグ、
−モバイル端末が上りリンク・リソース・ホッピングを使用すべきか否かを示すホッピング・フラグ、
−ＰＵＳＣＨ上で上りリンク・リソースをモバイル端末に割り当てるリソース・ブロック割当フィールド、
−ＰＵＳＣＨ上の割り当てられたリソース上での送信に関する変調方式、符号化レート、および冗長性バージョンを示す変調および符号化方式フィールド、
−基準シンボル・シーケンスに適用される循環シフトを構成するＤＭＲＳフィールド、
−複数の下りリンク・コンポーネント・キャリアのそれぞれについて、それぞれの下りリンク・コンポーネント・キャリアがアクティブ化されまたは非アクティブ化されるのかどうかをビットマスクによって示しているコンポーネント・キャリア（非）アクティブ化フィールド、および
−必要な場合に（すなわち、オプションで）専用制御情報のサイズを所定のビット数に整列させるための１つまたは複数のパディング・ビット
からなる、請求項１から７のいずれか一項に記載の方法。
【請求項１２】
前記上りリンク・リソース割当は、さらに、
−前記上りリンク・リソースが複数の上りリンク・コンポーネント・キャリアのどれの上で割り当てられるのかを示すキャリア・インジケータ・フィールド
からなる、請求項１１に記載の方法。
【請求項１３】
前記上りリンク・リソース割当は、さらに、
−前記モバイル端末が新たにアクティブ化された下りリンク・コンポーネント・キャリアのチャネル品質測定値を送信するのかどうかを示すＣＱＩフラグ
からなる、請求項１１または１２に記載の方法。
【請求項１４】
変調および符号化方式フィールド内で表すことが可能な少なくとも１つのコードポイントは、前記モバイル端末が新たにアクティブ化された下りリンク・コンポーネント・キャリアのチャネル品質測定値を送信するのかどうかを示すのに使用される、請求項１１または１２に記載の方法。
【請求項１５】
前記割当は、下りリンク・リソース割当であり、３ＧＰＰ  ＬＴＥ  ＤＣＩフォーマット１Ａを再利用しており、ＰＵＣＣＨフィールド用のＴＰＣコマンドおよび新データ・インジケータ（ＮＤＩ）のビットまたは前記ＮＤＩのビットは、複数の構成された下りリンク・コンポーネント・キャリアのどれがそれぞれアクティブ化されまたは非アクティブ化されるのかを示すために再利用される、請求項１から８のいずれか一項に記載の方法。
【請求項１６】
前記リソース割当は、前記モバイル端末へのリソース割当のために前記モバイル端末に割り当てられた無線ネットワーク一時識別子（ＲＮＴＩ）を用いてマスクされたＣＲＣフィールドを含み、前記リソース割当のキャリア・インジケータ・フィールド（ＣＩＦ）のコードポイントのうちの少なくとも１つは、前記リソース割当が前記構成された下りリンク・コンポーネント・キャリアを（非）アクティブ化するためのビットマスクを示しているかどうか、または前記上りリンク・リソース割当が前記構成された下りリンク・コンポーネント・キャリアの（非）アクティブ化に使用されず、それぞれ上りリンク・リソースまたは下りリンク・リソースを割り当てるのみであるのかどうか、を示している、請求項１から７のいずれか一項に記載の方法。
【請求項１７】
コンポーネント・キャリア・アグリゲーションを使用するモバイル通信システム内で使用されるモバイル端末であって、
下りリンク・コンポーネント・キャリア上で、前記モバイル端末に上りリンク・リソースまたは下りリンク・リソースを割り当てるリソース割当を受信する受信器であって、前記リソース割当は、複数の構成された下りリンク・コンポーネント・キャリアのどれがそれぞれアクティブ化されまたは非アクティブ化されるのかを示している、受信器と、
前記リソース割当内に含まれる表示に従って前記構成された下りリンク・コンポーネント・キャリアをアクティブ化しまたは非アクティブ化するプロセッサと
を含むモバイル端末。
【請求項１８】
前記リソース割当は、サブフレームの制御シグナリング領域内で受信され、の前記受信器は、前記サブフレームの前記制御シグナリング領域内で前記リソース割当のブラインド検出を実行するように構成される、請求項１７に記載のモバイル端末。
【請求項１９】
前記上りリンク・リソース割当によって新たにアクティブ化された下りリンク・コンポーネント・キャリアごとにチャネル品質測定を実行するチャネル品質測定ユニットと、
前記アクティブ化された下りリンク・コンポーネント・キャリアの前記チャネル品質測定を前記リソース割当によって割り当てられた上りリンク・リソース上で送信する送信器と
をさらに含む、請求項１７または１８に記載のモバイル端末。
【請求項２０】
前記受信器は、前記サブフレーム内の前記リソース割当によって割り当てられた下りリンク・リソース上で下りリンク・データを受信するようにさらに構成される、請求項１８に記載のモバイル端末。
【請求項２１】
前記プロセッサは、前記リソース割当のＣＲＣフィールドからマスクされたＣＲＣ符号を得、ＣＲＣ符号を得るために、下りリンク・コンポーネント・キャリアのアクティブ化および非アクティブ化のために前記モバイル端末に割り当てられた無線ネットワーク一時識別子（ＲＮＴＩ）を用いて前記マスクされたＣＲＣ符号をマスク解除し、前記ＣＲＣ符号に基づいて前記リソース割当の成功のブラインド検出を検証するように構成される、請求項１７から２０のいずれか一項に記載のモバイル端末。
【請求項２２】
複数の構成された下りリンク・コンポーネント・キャリアのどれがそれぞれアクティブ化されまたは非アクティブ化されるのかの前記表示は、ビットマスクによって提供される、請求項１７から２１のいずれか一項に記載のモバイル端末。
【請求項２３】
コンポーネント・キャリア・アグリゲーションを使用するモバイル通信システム内のための基地局であって、
モバイル端末に上りリンク・リソースを割り当てるために、アクティブの構成された下りリンク・コンポーネント・キャリア上でモバイル端末に上りリンク・リソース割当を送信する送信器であり、前記上りリンク・リソース割当は、複数の構成された下りリンク・コンポーネント・キャリアのどれがそれぞれアクティブ化されまたは非アクティブ化されるのかを示すビットマスクを含む、送信器と、
前記上りリンク・リソース割当の受信の成功または前記下りリンク・コンポーネント・キャリアの（非）アクティブ化の成功の肯定応答を、前記割り当てられた上りリンク・リソース上で受信する受信器であり、前記肯定応答は、新たにアクティブ化された下りリンク・コンポーネント・キャリアのチャネル品質測定値の形で受信される、受信器と
を含む基地局。
【請求項２４】
コンポーネント・キャリア・アグリゲーションを使用するモバイル通信システム内のための基地局であって、前記基地局は、単一のサブフレーム内で、アクティブの構成された下りリンク・コンポーネント・キャリア上で、モバイル端末に下りリンク・リソースを割り当てるための下りリンク・リソース割当、および前記割り当てられた下りリンク・リソース上で下りリンク・データを、モバイル端末に送信する送信器を含み、
前記上りリンク・リソース割当は、複数の構成された下りリンク・コンポーネント・キャリアのどれがそれぞれアクティブ化されまたは非アクティブ化されるのかを示すビットマスクをさらに含む
基地局。
【請求項２５】
前記モバイル端末への前記リソース割当の前記送信の前に、前記上りリンク・リソース割当のＣＲＣフィールドを生成し、下りリンク・コンポーネント・キャリアの前記アクティブ化および非アクティブ化のために前記モバイル端末に割り当てられた無線ネットワーク一時識別子（ＲＮＴＩ）を用いて前記ＣＲＣフィールドをマスクする、プロセッサをさらに含む、請求項２３または２４に記載の基地局。
【請求項２６】
前記送信器は、下りリンク・コンポーネント・キャリアの前記アクティブ化および非アクティブ化のために前記モバイル端末に割り当てられた前記無線ネットワーク一時識別子（ＲＮＴＩ）を前記モバイル端末に送信するように構成される、請求項２３から２５のいずれか一項に記載の基地局。
【請求項２７】
複数の構成された下りリンク・コンポーネント・キャリアのどれがそれぞれアクティブ化されまたは非アクティブ化されるのかの表示は、ビットマスクによって提供される、請求項２３から２６のいずれか一項に記載の基地局。